(57)【要約】【課題】戸幅が異なる両引分戸の連動開閉装置と防火戸を提供する【解決手段】両引分戸を全開させた時の上部位置に滑車５、５をそれぞれ設け、両滑車間に筒状誘導具６を通したワイヤロープ７をエンドレス状に張設し一旦両引分戸を全閉位置に戻した後、幅狭引き戸側から持ち出したワイヤロープ固定具８と筒状誘導具なし側のワイヤロープとを固着し、幅広引き戸側から持ち出した固定具９と筒状誘導具とを連結し筒状誘導具付側のワイヤロープ７において幅広引き戸を開方向に移動させる時この筒状誘導具端のうち幅狭引き戸１ａを動かさない側の当接位置Ｐに第１留め具１０を固着しこの第１留め具１０の位置Ｐから筒状誘導具方向に両引分戸の戸幅の差と筒状誘導具の長さとを加えた距離だけ離れた位置Ｑに第２留め具を固着して幅広引き戸を開閉操作する連動開閉装置と同装置付防火戸【選択図】図１
2004218402.tif 000002
【特許請求の範囲】
【請求項１】
左右の戸幅が異なる両引分戸においてこの両引分戸を全開させた時のそれぞれの上方位置に滑車が設けられこの両滑車間に１個の筒状誘導具を通したワイヤロープがエンドレス状に張設され一方の引き戸側から持ち出されたワイヤロープ固定具と上記ワイヤロープのうち筒状誘導具がない方のワイヤロープとが固着され他方の引き戸側から持ち出された筒状誘導具の固定具と筒状誘導具とが固着連結されてなり両引分戸を全閉または全開位置に置いて当該位置を初期位置と設定し筒状誘導具が通された方のワイヤロープで初期位置における筒状誘導具端のうち幅広引き戸を上記設定位置と反対方向に動かす時この筒状誘導具により幅狭引き戸が移動しない側に当接して第１留め具が固着されこの第１留め具の固着位置から筒状誘導具方向に幅広引き戸と幅狭引き戸との戸幅の差と筒状誘導具の長さとを加えた距離だけ離れた位置のワイヤロープに第２留め具が固着されてなり幅広引き戸が全開あるいは全閉位置に到達する時幅狭引き戸もまた同時に全開あるいは全閉位置に到達することを特徴とする戸幅の異なる両引分戸の連動開閉装置
【請求項２】
通常時は係止手段により常開係止され緊急時は非常信号により係止が自動解除されて閉鎖手段により開口部を閉鎖する戸幅の異なる常開式両引分防火戸において緊急時における閉鎖手段が幅広防火戸側に設けられていることを特徴とする請求項１記載の連動開閉装置付常開式防火戸
【発明の詳細な説明】
【０００１】
【発明の属する技術分野】
本発明は一方の引き戸を開閉すれば他方の引き戸も同時に開閉できる両引分戸の連動開閉装置に関するものとこの装置付常開式両引分防火戸に関するものである。
【０００２】
【従来の技術】
両引分戸の一方を開閉操作することにより他の一方も連動して開閉させる方法の基本形は引分戸（特許文献１参照）に詳しく説明されており、またエレベータ前のドア開閉装置（特許文献２参照）にも応用されている。
【０００３】
【特許文献１】
特開２０００−２０６０８号公報明細書全頁
【特許文献２】
特開平１１−２０６０８号公報、図１
【０００４】
【発明が解決しようとする課題】
しかしながらこれらの両引分戸の連動装置は戸幅が同じ長さのものの開閉で左右対称のものであれば有効であるが、中にはエレベータ前設置に際して設計上収納に関して片方側の幅は大きく取れるが他方側が小さくしか取れないため左右の戸幅を同じに出来ないとか、奥行きがなくレール２本の２枚引き戸にすることが出来ないためレール１本の引き戸にしなければならないなどの制約条件があることがあり、その場合には上記した装置を用いることが出来ないという不都合があり、このようなケースが近年特に増加傾向にある。本発明はかかる不都合を解決することを目的として提供されたものである。
【０００５】
【課題を解決するための手段】
本発明は掛かる不都合を左右のドア幅を互いに異ならせ、更にドアから持ち出した固定具とワイヤロープとの取付け方法を工夫することによりかかる不都合を解決した。すなわち一つには左右の戸幅が異なる両引分戸においてこの両引分戸を全開させた時のそれぞれの上方位置に滑車が設けられこの両滑車間に１個の筒状誘導具を通したワイヤロープがエンドレス状に張設され一方の引き戸側から持ち出されたワイヤロープ固定具と上記ワイヤロープのうち筒状誘導具がない方のワイヤロープとが固着され他方の引き戸側から持ち出された筒状誘導具の固定具と筒状誘導具とが固着連結されてなり両引分戸を全閉または全開位置に置いて当該位置を初期位置と設定し筒状誘導具が通された方のワイヤロープで初期位置における筒状誘導具端のうち幅広引き戸を上記設定位置と反対方向に動かす時この筒状誘導具により幅狭引き戸が移動しない側に当接して第１留め具が固着されこの第１留め具の固着位置から筒状誘導具方向に幅広引き戸と幅狭引き戸との戸幅の差と筒状誘導具の長さとを加えた距離だけ離れた位置のワイヤロープに第２留め具が固着されてなり幅広引き戸が全開あるいは全閉位置に到達する時幅狭引き戸もまた同時に全開あるいは全閉位置に到達することを特徴とする戸幅の異なる両引分戸の連動開閉装置であり、また１つは通常時は係止手段により常開係止され緊急時は非常信号により係止が自動解除されて閉鎖手段により開口部を閉鎖する戸幅の異なる常開式両引分防火戸において緊急時における閉鎖手段が幅広防火戸側に設けられていることを特徴とする請求項１記載の連動開閉装置付常開式防火戸である。
【０００６】
ここで両引分戸を「上記設定位置と反対方向に動かす」とは例えば両引分戸を全閉位置に置いたと設定すると「反対方向」とは引き戸が開いてゆく方向を指し、両引分戸を全開位置に置いたと設定すると「反対方向」とは引き戸が閉じてゆく方向を指す。
【０００７】
また、この防火戸はレール軌道上で吊車式であっても床車輪式であっても良く、全開時に用いる係止及び係止解除手段はその機能を果たせばどのようなものでも良い。また、閉鎖手段は閉鎖装置を用いても良いし、吊車式の場合は互いのレールを全閉方向に傾斜させて設置し自閉させても良く、閉鎖装置を用いる場合には幅広引き戸を閉鎖手段により操作することが必須条件であり、どちらの場合も閉鎖時の加速性を軽減するため調速装置を付加することが好ましい。
【０００８】
【発明の実施の形態】
以下本発明の実施例を図に基づいて説明すると図１、図２は本発明装置の主要部構造を抜粋した説明図であり、図３は本発明防火戸のうち連動開閉装置のみを主として抜粋した斜視図、図４は本発明防火戸のうち係止装置及び閉鎖装置を主として抜粋した斜視図、図５は実施例の連動開閉装置のワイヤロープとの接続状況を抜粋して開口部側よりみた斜視図であり、図３と図４とは引き戸上部のほぼ同じような場所に互いに干渉することなく取りつけられているが説明の都合上分解表示した。
【０００９】
まず実施例１の構成を説明すると、図１においてＷａの幅を有する幅狭引き戸１ａとＷｂの幅を有する幅広引き戸１ｂが戸車（図示せず）とレール（図示せず）により左右に開かれるように構成されている。図中実線で示した位置が両引分戸の全閉位置であり、２点鎖線で示した位置が両引分戸の全開位置である。
【００１０】
図１に示すように幅狭引き戸１ａと幅広引き戸１ｂとを全開させた時の上方
位置の両側に滑車５、５がそれぞれ設けられ、両滑車５、５間に長さＬの筒状誘導具６を通したワイヤロープ７がエンドレス状に張設されている。
【００１１】
両引分戸１ａ、１ｂがそれぞれ全閉位置に置かれ、幅狭引き戸１ａから持ち出されたワイヤロープ固定具８と筒状誘導具６がついていない側のワイヤロープ７とがＫの位置で固着されている。一方、幅広引き戸１ｂから持ち出された筒状誘導具６の固定具９と筒状誘導具６とが連結されて一体化されている。
【００１２】
そして更に幅広引き戸１ｂを開く方向に動かす際、筒状誘導具６を通過させた側のワイヤロープ７内で初期位置における筒状誘導具端のうちこの筒状誘導具６が幅狭引き戸１ａを動かさない側の当接位置Ｐに筒状誘導具６の第１留め具１０が固着され、この第１留め具取付位置Ｐから筒状誘導具方向に筒状誘導具の長さＬと幅広引き戸１ｂと幅狭引き戸１ａの戸幅の差Ｗｂ−Ｗａとを加えた距離すなわち筒状誘導具方向にＬ＋（Ｗｂ−Ｗａ）だけ離れた位置Ｑに第２留め具１１が固着されてなる戸幅の異なる両引分戸の連動開閉装置である。ここで注意すべきことは両引戸全開時に位置Ｑと位置Ｋにおける固着物がそれぞれの上方の滑車５、５に当たらないようにあらかじめ筒状誘導具６の固定具９とワイヤロープ固定具８の持ち出し位置を設定することである。
【００１３】
次にその動作を説明すると両引分戸１ａ、１ｂの全閉位置から幅広引き戸１ｂを開方向に移動させてゆくと幅広引き戸１ｂに固定具９で連結された筒状誘導具６もまた同様にワイヤロープ７を移動させることなくＱ位置まで移動する。そして筒状誘導具６がＱ位置で第２留め具１１に当接し、更に幅広引き戸１ｂを開方向に移動させてゆくと第２留め具１１はワイヤロープ７に固着されているため、今度はワイヤロープ７も一緒に移動し、ワイヤロープ固定具８もまたワイヤロープ７に固着されているため、それに伴って幅狭引き戸１ａも開方向に移動することになる。ここで、筒状誘導具６がＱ位置で第２留め具１１に当接するまでに移動した距離は初期条件設定よりＷｂ−Ｗａであり、全開位置までの残りの距離はＷｂ−（Ｗｂ−Ｗａ）＝Ｗａであるから幅広引き戸１ｂが全開位置に到達した時、幅狭引き戸１ａもまた全開位置に到達することになる。すなわち両引分戸は同時に全開位置に達することになる。
【００１４】
今度は逆に幅広引き戸１ｂを閉方向に移動させてゆくと筒状誘導具６は幅広引き戸１ｂと同様に移動するのでＰ位置までワイヤロープ７を移動させることなく単独で移動する。そして筒状誘導具６がＰ位置で第１留め具１０に当接し、更に幅広引き戸１ｂを閉方向に移動させてゆくと第１留め具１０はワイヤロープ７に固着されているため、今度はワイヤロープ７も移動し、ワイヤロープ固定具８もまたワイヤロープ７に固着されているため、それに伴って幅狭引き戸１ａも閉方向に移動することになる。筒状誘導具６がＰ位置で第１留め具１１に当接するまでに移動した距離はＷｂ−Ｗａであり、全閉位置までの残りの距離はＷｂ−（Ｗｂ−Ｗａ）＝Ｗａであるから幅広引き戸１ｂが全閉位置に到達した時、幅狭引き戸１ａもまた全閉位置に到達することになる。すなわち両引分戸は同時に全閉位置に達することになる。
【００１５】
以上の動作説明からわかるように全開位置を初期位置と設定した場合はＱの位置が第１留め具の固着位置となりＰの位置が第２固定具の固着位置となるだけであり、両引分戸を全開・全閉のどちらの位置を初期位置設定としてもＰとＱの位置関係は変わらない。
【００１６】
次に実施例２について説明する。実施例２は図２に示すように幅狭引き戸１ａと幅広引き戸１ｂとを全開させた時の上方位置の両側に滑車５、５がそれぞれ設けられ、両滑車５、５間に長さＬの筒状誘導具６を通したワイヤロープ７がエンドレス状に張設されていることと両引分戸１ａ、１ｂをそれぞれ全閉位置に置いて初期位置設定するのは実施例１と同様であるが、実施例２は実施例１の場合とは接続が逆で幅狭引き戸１ａから持ち出された筒状誘導具６の固定具９に筒状誘導具６が連結されて一体化され、幅広引き戸１ｂから持ち出されたワイヤロープ固定具８と筒状誘導具６がついていない側のワイヤロープ７とがＫの位置で固着されたものである。
【００１７】
そして更に幅広引き戸１ｂを開く方向に動かす際、筒状誘導具６を通過させた側のワイヤロープ７内で初期位置における筒状誘導具端のうちこの筒状誘導具６が幅狭引き戸１ａを動かさない側の当接位置Ｐに筒状誘導具６の第１留め具１０が固着され、この第１留め具の取付位置Ｐから筒状誘導具方向に筒状誘導具の長さＬと幅広引き戸１ｂと幅狭引き戸１ａの戸幅の差Ｗｂ−Ｗａとを加えた距離すなわち筒状誘導具方向にＬ＋（Ｗｂ−Ｗａ）だけ離れた位置Ｑに第２留め具１１が固着されてなる戸幅の異なる両引分戸の連動開閉装置である。ここで注意すべきことは両引戸全開時に位置Ｐと位置Ｋにおける固着物がそれぞれの上方の滑車５、５に当たらないようにあらかじめ筒状誘導具６の固定具９とワイヤロープ固定具８の持ち出し位置を設定することである。
【００１８】
次にその動作を説明すると両引分戸１ａ、１ｂの全閉位置から幅広引き戸１ｂを開方向に移動させてゆくと幅広引き戸１ｂから持ち出されたワイヤロープ固定具８とワイヤロープ７とは固着されているためワイヤロープ７もまた移動する。
一方、第１留め具１０は筒状誘導具端のうちこの筒状誘導具６が幅狭引き戸１ａを動かさない側に設けられているためワイヤロープ７と共に移動するが幅狭引き戸１ａは移動しない。
【００１９】
そしてＱ位置に固着された第２留め具１１が筒状誘導具６に当接し、更に幅広引き戸１ｂを開方向に移動させてゆくと第２留め具１１は筒状誘導具６をそのまま押してゆき、筒状誘導具６に固着連結された幅狭引き戸１ａもまた開方向に移動することになる。ここで、Ｑ位置の第２留め具１１が筒状誘導具６に当接するまでに移動した距離は初期条件設定よりＷｂ−Ｗａであり、全開位置までの残りの距離はＷｂ−（Ｗｂ−Ｗａ）＝Ｗａであるから幅広引き戸１ｂが全開位置に到達した時、幅狭引き戸１ａもまた全開位置に到達することになる。すなわち両引分戸は同時に全開位置に達することになる。
【００２０】
今度は逆に幅広引き戸１ｂを閉方向に移動させてゆくと第２留め具１１はワイヤロープ７と共に移動するが筒状誘導具６は第１留め具１０が到達するまで停止し幅狭引き戸１ａもまた停止したままである。そして筒状誘導具６に第１留め具１０が当接し、更に幅広引き戸１ｂを閉方向に移動させてゆくと第１留め具１０により筒状誘導具６は閉方向に移動しそれに伴って幅狭引き戸１ａもまた閉方向に移動することになる。ここで筒状誘導具６に第１留め具１０が当接するまでに移動した距離は初期条件設定よりＷｂ−Ｗａであり、全閉位置までの残りの距離はＷｂ−（Ｗｂ−Ｗａ）＝Ｗａであるから幅広引き戸１ｂが全閉位置に到達した時、幅狭引き戸１ａもまた全閉位置に到達することになる。すなわち両引分戸は同時に全閉位置に達することになる。
【００２１】
以上の動作説明からわかるように全開位置を初期位置と設定した場合はＱの位置が第１留め具の固着位置となりＰの位置が第２固定具の固着位置となるだけであり、両引分戸を全開・全閉のどちらの位置を初期位置設定としてもＰとＱの位置関係は変わらないことがわかる。
【００２２】
実施例１と実施例２とからわかるように本発明のように両引分戸の連動開閉装置を構成し、幅広引き戸１ｂを操作することによりどのような戸幅の異なる両引分戸であっても両引分戸１ａ、１ｂは同時に全閉全開を繰り返すことが出来る。
【００２３】
次に実施例３について説明する。実施例３は実施例１の連動開閉装置を取りつけた常開式両引分防火戸である。実施例１と構成動作を同じくするものについては同じ番号を用いる。まずその構成を説明すると、まず、図３においてＷａの幅を有する幅狭防火戸１ａとＷｂの幅を有する幅広防火戸１ｂがレール２上にそれぞれ吊車３により接続具４を介して吊り下げられており幅狭防火戸１ａと幅広防火戸１ｂの両者はレール２に沿って開閉自在に動く。幅広防火戸１ｂには図４に示すように係止装置１３に係止される係止具１２が設けられ、調速装置を内蔵する閉鎖装置１４が幅広防火戸１ｂを閉鎖する方向に設けられ、閉鎖装置１４から引き出されたワイヤロープ１５の先端は幅広防火戸１ｂに取りつけられている。
また、幅広防火戸１ｂの全開位置には係止具１２と連結係止される係止装置１３が設けられてなる。
【００２４】
両引分防火戸１ａ、１ｂを全開させた時の上部位置の両方に滑車５、５がそれぞれ設けられ、両滑車５、５間に長さＬの筒状誘導具６を通したワイヤロープ７がエンドレス状に張設され、両引分防火戸１ａ、１ｂを全閉位置に置いた後、幅狭防火戸１ａ側の接続具４から持ち出されたワイヤロープ固定具８と筒状誘導具６がついていない側のワイヤロープ７とが位置Ｋで固着されている。一方、幅広防火戸１ｂ側の接続具４から持ち出された固定具９と上記筒状誘導具６とが連結され、筒状誘導具６を通過させた側のワイヤロープ７で筒状誘導具６が防火戸全閉位置より幅狭防火戸方向に移動出来ない位置Ｐに筒状誘導具６の第１留め具１０が固着され、この第１留め具の固着位置から筒状誘導具方向に筒状誘導具の長さＬと幅広防火戸１ｂと幅狭防火戸１ａとの戸幅差Ｗｂ−Ｗａとを加えた距離、すなわち筒状誘導具方向にＬ＋（Ｗｂ−Ｗａ）だけ離れた位置Ｑに第２留め具１１が固着されてなる戸幅の異なる両引分戸の連動開閉装置付常開式両引分防火戸である。この第１留め具１０、第２留め具１１の固着状況は図５に示す通りであり、Ｋ、Ｐ、Ｑの位置は図１に示す通りである。
【００２５】
次にその動作を説明すると、幅広防火戸１ｂを開方向に移動させてゆくと幅広防火戸１ｂに固定具９で連結された筒状誘導具６もまた同様にワイヤロープ７を移動させることなく単独で移動する。そして筒状誘導具６が第２留め具１１に当接後、更に幅広防火戸１ｂを開方向に移動させてゆくと第２留め具１１はワイヤロープ７に固着されているため、命度はワイヤロープ７をも一緒に移動し、ワイヤロープ固定具８もまたワイヤロープ７に固着されているため、それに伴って幅狭防火戸１ａも開方向に移動することになる。ここで、筒状誘導具６が第２留め具１１に当接するまでに移動した距離は初期条件設定よりＷｂ−Ｗａであり、全開位置までの残りの距離はＷｂ−（Ｗｂ−Ｗａ）＝Ｗａであるから幅広引き戸１ｂが全開位置に到達した時、幅狭防火戸１ａもまた全開位置に到達し、幅広防火戸１ｂに設けられた係止具１２が係止装置１３に連結係止されるため両引分防火戸１ａ、１ｂは全開したまま停止することになる。
【００２６】
火災などの異常信号が係止装置１３に入ると係止装置１３は幅広防火戸１ｂに設けられた係止具１２の係止を解除するため、幅広防火戸１ｂは閉鎖装置１４によって閉方向に移動してゆく。筒状誘導具６は幅広防火戸１ｂと共に動くので第１留め具１０の位置までワイヤロープ７を動かすことなく単独で移動する。そして筒状誘導具６が第１留め具１０に当接した後も更に幅広防火戸１ｂは閉方向に閉じてゆくのでワイヤロープ７もまた移動し、ワイヤロープ固定具８のために幅狭防火戸１ａも閉方向に移動することになる。筒状誘導具６が第１留め具１１に当接するまでに移動した距離はＷｂ−Ｗａであり、全閉位置までの残りの距離はＷｂ−（Ｗｂ−Ｗａ）＝Ｗａであるから幅広防火戸１ｂが全閉位置に到達した時、幅狭防火戸１ａもまた全閉位置に到達することになる。すなわち両引分戸は同時に全閉位置に達する。
【００２７】
【発明の効果】
本発明の連動開閉装置は簡単な構造でしかも、どのような戸幅の異なる両引分戸であっても全開時には異なる幅の戸袋に完全収納できるという効果があり、常開式両引分防火戸としても需要者の要求に応えることが出来る。
【図面の簡単な説明】
【図１】本発明装置の主要部を抜粋した説明図
【図２】本発明装置の主要部を抜粋した説明図
【図３】本発明防火戸のうち連動開閉装置のみを主として抜粋した斜視図
【図４】本発明防火戸のうち係止装置及び閉鎖装置のみを主として抜粋した斜視図
【図５】実施例の連動開閉装置のワイヤロープとの接続状況を抜粋して開口部側よりみた斜視図
【符号の説明】
１ａ、  幅狭引き戸
１ｂ、  幅広引き戸
２、  レール
３、  吊車
４、  接続具
５、  滑車
６、  筒状誘導具
７、  ワイヤロープ
８、  ワイヤロープ固定具
９、  筒状誘導具の固定具
１０、  第１留め具
１１、  第２留め具
１２、  係止具
１３、  係止装置
１４、  閉鎖装置
１５、  ワイヤロープ
【図１】
2004218402.tif 000003
【図２】
2004218402.tif 000004
【図３】
2004218402.tif 000005
【図４】
2004218402.tif 000006
【図５】
2004218402.tif 000007